(57)【要約】【課題】  レンズフードのフード本体部がワンタッチで着脱することが可能であり、したがって、ズームレンズの広角域と望遠域の画角に適するフードに交換することが容易であり、また、回転効果フィルタ等の操作が容易となり、各種レンズにも汎用的に装着できるレンズフードを提供する。【解決手段】  レンズフード１は、フード本体１０とフード本体１０をレンズ鏡筒３に取着する取着具２０で構成されており、フード本体１０の基部１２には磁性部材１３が備えられ、この基部１２に対向する取着具２０の係着体２２に磁石２３が保持されており、この磁力によってフード本体１０は、取着具２０に吸着される。【選択図】図２
2007272163.tif 000002
【特許請求の範囲】
【請求項１】
カメラのレンズ鏡筒の先端部に着脱されるレンズフードであって、
フード本体と前記フード本体を前記レンズ鏡筒に取着する取着具を備え、前記フード本体および前記取着具それぞれに磁気部材を備え、前記フード本体は磁力で前記取着具に係着されていることを特徴とするレンズフード。
【請求項２】
前記フード本体は、フード環体と前記フード環体に基部が形成され、前記基部は磁性部材又は磁石を備え、前記取着具は、前記基部の外周に当接して前記フード本体と前記取着具の光軸が一致するように案内する案内円環と、前記案内円環の中空内に前記基部と対向して鍔状の係着体が形成され、前記係着体は磁石又は磁性部材を備えていることを特徴とする請求項１に記載のレンズフード。
【請求項３】
前記基部には、前記フード本体の回動を係止する係止孔が軸方向に設けられ、前記係着体には、前記係止孔に嵌合する突出部を設け、前記フード本体の回動において、前記係止孔と前記突出部とは一致する状態において嵌合し、前記フード本体の回動は係止されることを特徴とする請求項２に記載のレンズフード。
【請求項４】
前記取着具の被写体側に装着されるレンズキャップの蓋体の基部には、磁性部材又は磁石が備えられていることを特徴とする請求項２に記載のレンズフード。
【発明の詳細な説明】
【技術分野】
【０００１】  本発明は、カメラのレンズ鏡筒の先端に装着されて使用されるレンズフードに関するものである。
【背景技術】
【０００２】  カメラの撮影では、撮影レンズの画角外の領域からの光の入射を防止するために、レンズ鏡筒の先端の外周部に着脱可能なレンズフードが用いられている。【０００３】  特許文献１に開示されたレンズフードは、ズームレンズに使用されるレンズフードが広角側にレンズフードの性能設計がなされており、望遠側ではフード効果が減少するので、フードを伸縮自在な多段式の円筒で構成されている。【０００４】  また、特許文献２に開示されたレンズフードは、レンズ鏡筒に装着された回転効果フィルタ部品の調整操作を容易にするために、レンズフードの外周の一部に撮影者の指を差し入れることを可能とする開口部が備えられている。
【特許文献１】特開２００５−２８３９４３
【特許文献２】特許第３３６０８０９号
【発明の開示】
【発明が解決しようとする課題】
【０００５】  従来、画角の広い広角域を有するズームレンズでは、最も画角が広い広角域に対する性能で形状設計がなされ、一般に、ケラレが生じないように画角の対角部位のフード環に切り欠きを有するレンズフードが使用されている。したがって、レンズフードは、レンズ鏡筒に対して回転できないように保持されているので、個々の撮影レンズ毎に専用に備えられている。また、この状態では、ズームレンズの標準、望遠側においてフードの遮光効果が減少するので、このズーム域での使用に適するレンズフードが、ワンタッチで交換できることが望ましい。【０００６】  また、レンズ鏡筒に装着された回転効果フィルタ部品を調整操作する場合は、レンズフードの外周に設けられた開口部から撮影者の指を差し入れて行うものもあるが、撮影時には、開口部を蓋部材で閉塞ことが必要である。しかし、蓋部材は小さいので、遠視者などでは閉塞操作がやや困難になる。この回転効果フィルタの操作は、調整時にはレンズフードを脱離し、調整終了後はレンズフードをワンタッチで装着できることが望ましい。【０００７】  本発明の目的は、撮影に用いられるレンズの画角に適するレンズフードが、ワンタッチで交換することができ、また、偏光フィルタ等のレンズ鏡筒に装着される部品の調整操作が、容易に行うことができ、かつ、各種のレンズ鏡筒にも適用できるレンズフードを提供することにある。
【課題を解決するための手段】
【０００８】上記目的を達成するため本発明は、カメラのレンズ鏡筒の先端部に着脱されるレンズフードであって、
フード本体と前記フード本体を前記レンズ鏡筒に取着する取着具を備え、前記フード本体および前記取着具はそれぞれに磁気部材を備え、前記フード本体は磁力で前記取着具に係着されていることを特徴とするレンズフードを提供する。【０００９】  また、本発明のレンズフードは、前記フード本体が、フード環体と前記フード環体に基部が形成され、前記基部は磁性部材又は磁石を備え、前記取着具は、前記基部の外周に当接して、前記フード本体と前記取着具の光軸が一致するように案内する案内円環と、前記案内円環の中空内に前記基部と対向して鍔状の係着体が形成され、前記係着体は磁石又は磁性部材を備えていることを特徴とする。【００１０】  また、本発明のレンズフードは、前記基部には、前記フード本体の回動を係止する係止孔が軸方向に設けられ、前記係着体には、前記係止孔に嵌合する突出部を設け、前記フード本体の回動において、前記係止孔と前記突出部とは一致する状態において嵌合し、前記フード本体の回動は係止されることを特徴とする【００１１】  また、本発明のレンズフードは、前記取着具の被写体側に装着されるレンズキャップの蓋体の基部には、磁性部材又は磁石が備えられていることを特徴とする。
【発明の効果】
【００１２】  本発明によれば、レンズフードの着脱がワンタッチで行えるので、回転効果フィルタの調整操作が容易で、また、レンズの画角に好適なレンズフードを素早く交換し、装着することが可能となる。
【発明を実施するための最良の形態】
【００１３】  （第１実施の形態）
以下、本発明の実施の形態を図面に基づき詳細に説明する。【００１４】  図１は、本発明のレンズフード１の実施の形態の概略構成を示す斜視図である。レンズフード１はフード本体１０と、フード本体１０をレンズ鏡筒に取着する取着具２０で構成されている。フード本体１０は、フード環体１１と基部１２で構成され、この基部１２と取着具２０の係着体２２とは、後述するように、磁力で係着されている。【００１５】  図２は、本発明のレンズフード１の分解斜視図である。フード本体１０は、切り欠き１１ａが施されたフード環体１１と、基部１２で構成されており、この基部１２の基端には環状の磁性部材１３が備えられている。取着具２０は、基部１２の外周と当接して、フード本体１０と取着具２０の光軸が一致するように、フード本体１０を取着具２０に案内する案内円環２１と、この案内円環２１の中空内には基部１２と対向して鍔状の係着体２２が形成されており、この係着体２２には複数個の磁石２３が保持されている。これによって、フード本体１０は、磁石２３と磁性部材１３との間に作用する磁力によって取着具２０に係着される。【００１６】  このように、フード本体１０は、磁力によって取着具２０に吸着されるので、取着具２０を固定した状態で、フード本体１０は、光軸を中心としてフードの環方向に回転することが可能となり、また、切り欠きが施されたフード本体１０の画角に適した回転位相で、係止することができる。【００１７】  この磁石２３の吸着力は、磁石２３の軸方向には強く作用するが、横滑りの方向には係止力は弱いので、フード本体１０は強く吸着された状態で、滑らかに回転することが可能となる。また、基部１２の外周は、案内円環２１の内周に当接しているので、フード本体１０の光軸は、偏移することがない。【００１８】  係着体２２のレンズ側には、レンズ鏡筒３の先端に備えられた鏡筒枠ネジ４に螺合する、雄ネジ溝２５が備えられ、取着具２０は、カメラ２に取着される。また、係着体２２のフード側には、フィルタ枠ネジに螺合する雌ネジ溝２４が備えられている。【００１９】  図３（ａ）は、本発明の第１の実施の形態において、フード本体１０と取着具２０が係着する基部１２の背面図であり、（ｂ）は取着具２０の正面図である。【００２０】  図４は、本発明の第１の実施の形態における軸方向の断面図である。すなわち、図３（ａ）と（ｂ）が係合された状態におけるＡ−Ａ、Ｂ−Ｂの断面図である。【００２１】  図３（ｂ）に示すように、取着具２０は、環状の案内円環２１とこの案内円環２１に内合した鍔状の係着体２２で形成され、この係着体２２には磁石２３が保持されている。【００２２】  図３（ｂ）および図４に図示されている実施例では、小型の円柱状の磁石２３が４個、係着体２２に貫通状に保持されているが、実施の形態は、この限りではない。すなわち、磁石２３の吸着力は、磁石２３の径、配置数等で変化し、また、磁性部材１３が関連し、フード本体１０の大きさと重量等との関連により、好適のものが選択される。磁石部材としては、ネオジム磁石等が好ましい。【００２３】  また、図３（ａ）に示すように、基部１２の基端には磁性部材１３が備えられているが、この磁性部材１３の磁石２３に対す���吸着力は、磁性部材１３の部材の種類や環体の幅、形状等で吸着力が異なり、磁石２３との関連において好適なものが選択される。【００２４】  前述のように、磁性部材１３は、均一な環状なので、係着体２２に対して均一な吸着力を保持した状態で、係着体２２と対向して回動することができ、また、任意の位置で係止することができる。【００２５】  ここで、図３に示すように、フード本体１０の基部１２の環状面に、フードの係止孔１８を設け、係着体２２の係止孔１８の軌道上に、係止孔１８に嵌合する突出部２８設ければ、上述のように、フード本体１０が回動して係止孔１８と突出部２８が一致すると、両者は磁力による吸着力で嵌合して、フード本体１０は係止される。この構成は、切り欠きが施されたフード本体１０のケラレ防止に有効である。【００２６】  また、上述の突出部２８をネジで構成すれば、この突出部２８の有無を選択することが可能であり、フード本体１０の係止位置を指定するか、または、任意に係止するかを選択することが可能となる。【００２７】  図４に示すように、フード本体１０の基部１２は、取着具２０の案内円環２１に内接し、基部１２の基端に備えられた磁性部材１３は、係着体２２に保持された磁石２３に吸着される。【００２８】  図２においても説明したように、この係着体２２のレンズ鏡筒３側には、レンズ鏡筒３に取着する雄ネジ溝２５が設けられており、レンズ鏡筒３の先端に備えられた鏡筒枠ネジ４に螺合して、取着具２０は、レンズ鏡筒３に装着される。【００２９】  図４では、取着具２０は、案内円環２１、係着体２２、およびレンズ鏡筒３との螺着部２２ａまで一体化されているが、線Ｃで区画されているように、螺着部２２ａを分割して構成することも可能である。すなわち、螺着部２２ａは、レンズ鏡筒部品のフィルタ枠と等価の構造なので、プロテクタフィルタや偏光フィルタ等を嵌入して使用することができる。超広角レンズでは、フィルタ枠厚でケラレが生じることがあるので、前述の構成が有効となる。なお、未図示であるが、取着具２０とレンズ鏡筒３との連結は、前述の螺着による構造に限らず、レンズ鏡筒３のバヨネット溝６に取着することも可能である。【００３０】  前述のように、係着体２２のフード側には、フィルタ枠ネジに螺合する雌ネジ溝２４が備えられている。【００３１】  図５は、本発明のフード本体１０の収納状態を示す軸方向の断面図である。フード本体１０を収納するには、先ず、取着具２０をレンズ鏡筒３から螺脱し、フード本体１０を反転して係着体２２のレンズ側の磁石２３ａに磁性部材１３を吸着させて、フード本体１０を固定し、さらに取着具２０をレンズ鏡筒３に螺着する。したがって、フード本体１０は、レンズ鏡筒３に挿入された状態で収納されるので、不用意に脱落して紛失することが防止される。【００３２】  取着具２０からフード本体１０を離脱した後に、取着具２０に装着されるレンズキャップ３０は、係着体２２の口径に相当する円板状の蓋体３１とその蓋体３１の基部１２に磁性部材３３を備え、磁性部材３３は、取着具２０の磁石２３に吸着される。蓋体３１の表側には取手部３４を備え、レンズキャップ３０を着脱する。【００３３】  図６及び図７は、本発明の第１��実施形態のレンズフード１に、回転効果フィルタ４０を装着した２つの実施例の断面図と、その操作の特徴について示したものである。【００３４】  図６は、レンズ鏡筒３の先端に回転効果フィルタ４０の固定枠４３の雄ネジ溝４４を螺合し、回転効果フィルタ４０の可動枠４１の雌ネジ溝４２に取着具２０を装着し、この取着具２０にフード本体１０を係着した状態を示す。【００３５】  この状態で、取着具２０が光軸を中心として回転すると、回転効果フィルタ４０の可動枠４１は、取着具２０に螺合しているので、この取着具２０と一体になって偏光フィルタ部材４５も回転し、フィルタの回転効果を得ることができる。【００３６】  しかし、フード本体１０は、取着具２０と一体で回転し、レンズの所定の画角から回転位相がずれてしまうが、フード本体１０と取着具２０とは磁力で吸着しているので、フード本体１０を適正な回転位相に戻すことが可能である。【００３７】  すなわち、この回転効果フィルタ４０の調整操作は、カメラ２のファインダを覗きながら取着具２０を回動し、適正な画像に達したら取着具２０の回動を停止し、この取着具２０を動かないように保持しながら、フード本体１０を適正な画角に合わせればよい。したがって、従来のようにフード本体１０内に指を差し込まずに、回転効果フィルタ４０を調整することが可能である。【００３８】  図７は、レンズ鏡筒３の先端に取着具２０を取着し、この取着具２０のフィルタ装着ネジ溝２４に回転効果フィルタ４０を螺合した状態を示したもので、回転効果フィルタ４０はフード本体１０に覆われているので、直接に回転効果フィルタ４０を操作することが出来ない。【００３９】  したがって、この回転効果フィルタ４０を操作する場合は、フード本体１０を取着具２０から離脱し、直接、回転効果フィルタ４０の可動枠４１を指で回動し、適正な画像に達したら可動枠４１の回動を停止し、再びフード本体１０を取着具２０に係着すればよい。【００４０】  望遠レンズのレンズフードは、その軸寸法が長く、指長を超えるものが多いので、従来のように、レンズフードの先端開口部から指を差し込んで可動枠４１を回動することは困難である。しかし、前述のように、回転効果フィルタ４０の操作は、図６、図７のいずれの装着法でも容易に行うことが可能である。【００４１】  （第２実施形態）
図８は本発明の第２の実施の形態において、図８（ａ）は、フード本体１０と取着具２０に係着する基部１２の背面図であり、図８（ｂ）は、取着具２０の正面図である。【００４２】  この第２実施形態は、第１実施形態の図３と対比すれば、図８（ａ）の基部１２には磁石１５（２３）が保持され、図８（ｂ）の係着体２２には磁性部材２６（１３）が備えられている点、以外は、第１実施形態と同じである。【００４３】  磁性部材１３、２６の構造は、厚さが薄い円板状環や線状環で構成することが可能なので、この第２実施形態では、取着具２０の係着体２２の部材は薄く（１ｍｍ程度）することが可能となる。したがって、第２実施形態は、一例として、小型のデジタルカメラやビデオカメラ等に好適である。【００４４】  （第３実施形態）
未図示であるが、基部１２と係着体２２のそれぞれに対する磁石１５、２３と磁性部材１３、２６の配置は、第１実施形態および第２実施形態の他に、両者の混在した構成が可能である。すなわち、第１実施形態において基部１２の磁性部材１３の中に１個又は複数個の磁石を配備すれば、異性極と対向した状態では、強く吸着される。【００４５】  本発明のレンズフード１は、前述のいずれの実施形態においても、複数台のカメラ、あるいはレンズ鏡筒３に対して、取着具２０のみが装着されていれば、フード本体１０を共用することが可能となる。すなわち、フード本体１０は、一般に容積が大きく携帯に不便なので、このフード本体１０が共用されれば、移動撮影等では便利である。また、レンズ鏡筒３の口径が取着具２０の口径と異なる場合は、ステップアップリング等を介在して連結することが可能である。
【図面の簡単な説明】
【００４６】
【図１】  本発明の実施の形態におけるレンズフードの斜視図である。
【図２】  本発明の第１の実施の形態におけるレンズフードの分解斜視図である。
【図３】  本発明の第１の実施の形態における基部と取着体の係着部との展開図である。（ａ）は基部の背面図であり、（ｂ）は取着体の正面図である。
【図４】  本発明の第１の実施の形態における軸方向の断面図である。
【図５】  本発明の第１の実施の形態におけるレンズフードの収納状態を示す断面図である。
【図６】  本発明の第１の実施の形態における回転効果フィルタの操作を説明するための軸方向の断面図のその１である
【図７】  本発明の第１の実施の形態における回転効果フィルタの操作を説明するための軸方向の断面図のその２である
【図８】    本発明の第２の実施の形態における基部と取着体の係着部との展開図である。（ａ）は基部の背面図であり、（ｂ）は取着体の正面図である。
【符号の説明】
【００４７】１  レンズフード
２  カメラ
３  レンズ鏡筒
１０  フード本体
１１  フード環体
１２  基部
１３、２６  磁性部材
１８  係止孔
２０  取着具
２１  案内円環
２２  係着体
２３、１５  磁石
２８  突出部
３０  レンズキャップ
３１  蓋体
４０  回転効果フィルタ（偏光フィルタ）
【図１】
2007272163.tif 000003
【図２】
2007272163.tif 000004
【図３】
2007272163.tif 000005
【図４】
2007272163.tif 000006
【図５】
2007272163.tif 000007
【図６】
2007272163.tif 000008
【図７】
2007272163.tif 000009
【図８】
2007272163.tif 000010